(57)【要約】【課題】  柄のあるツールに紐体をつないでツール使用者へ固定している場合に、当該ツールの使い勝手を向上させられる技術を提供する。【解決手段】  作業機能部（たとえば網11）に対する作業者の握り手となる柄(10)と、その柄(10)に固定される巻き取り機構(25)とを備え、  その巻き取り機構(25)は、紐体(たとえばナイロンワイヤ26)を引き出しおよび巻き取り可能とした巻き取り機構付き柄とする。  前記の柄(10)を収納する内部空間を備えた鞘体(40)を備えるとともに、  その鞘体(40)には、前記の巻き取り機構(25)から引き出した前記紐体(20)の端部を固定する。  ツールが鮎ダモの場合には、鞘体(40)はメッシュ構造であることが望ましい。【選択図】  図１
2013208070.tif 000002
【特許請求の範囲】
【請求項１】
作業機能部に対する作業者の握り手となる柄と、その柄に固定される巻き取り機構とを備え、
その巻き取り機構は、紐体を引き出しおよび巻き取り可能とした巻き取り機構付き柄。
【請求項２】
前記の柄を収納する内部空間を備えた鞘体を備えるとともに、
その鞘体には、前記の巻き取り機構から引き出した前記紐体の端部を固定することとした請求項１に記載の巻き取り機構付き柄。
【請求項３】
作業機能部としての網部および釣り人の握り手となる柄を備えた鮎ダモであって、
前記の柄における網部とは反対側の端部には、紐体を引き出しおよび巻き取り可能とした巻き取り機構を内蔵し、
その紐体は、前記の柄の端部付近から引き出し可能とした鮎ダモ。
【請求項４】
前記の柄を収納する内部空間を備えた鞘体を備えるとともに、
その鞘体には、前記の巻き取り機構から引き出した前記紐体の端部を固定することとした請求項３に記載の鮎ダモ。
【請求項５】
前記の鞘体は、その収納空間と収納空間の外側空間とを連通させるメッシュ構造にて形成した請求項４に記載の鮎ダモ。
【発明の詳細な説明】
【技術分野】
【０００１】
本発明は、仕事やレジャーにおいて使用される手で持つツールの使い勝手の向上や紛失防止に関する。
【背景技術】
【０００２】
仕事やレジャーにおいて、手に持って使用するツール（道具）は、数多く存在する。  そうしたツールは、球技スポーツにおけるラケットのように、常時手に持って使用するわけではなく、必要なときに取り出して使用するツールが少なくない。
たとえば、釣りに用いるペンチは、釣れた魚が針を呑み込んでしまっている場合に、針を外すために使用するが、使用していない場面には所定の収納場所へ収納している。
鮎釣りにおいては、特許文献１に示されるような、釣った鮎をキャッチするために用いるタモ（通称「鮎ダモ」、「玉網」）がある。さて、この鮎ダモは、キャッチする以外の時には、握り手となる柄の部分を釣り人のウエストベルトに差し込んでおくことが一般的である。
【０００３】
図６を用いて、更に詳しく説明する。
鮎ダモの柄１０には、網１１側の端部にリングなどを固定するための中央リング孔１２が設けられている。また、網１１とは反対側の端部付近にも、端部リング孔１３が設けられている。
鮎釣りは、膝上や腰の辺りまで川の水に浸かりながら行うこともある。そのため、鮎ダモを流してしまわないように、尻手ロープ（スプリングチェーン、紐体）２０の一端をベルト通しへ固定し、他端を中央リング孔１２または端部リング孔１３に固定する。
【０００４】
尻手ロープ２０を固定するための孔として、中央リング孔１２および端部リング孔１３が設けられているのは、釣り人の好みによって使い分けられるようにするためである。
図６（ａ）が、端部リング孔１３に尻手ロープ２０を固定した場合を示しており、図６（ｂ）が、中央リング孔１２に尻手ロープ２０を固定した場合を示している。そして、柄１０は、釣り人のウエストベルト３０に差し込まれる。
【先行技術文献】
【特許文献】
【０００５】
【特許文献１】特開２００７−１９５４９９号公報
【発明の概要】
【発明が解決しようとする課題】
【０００６】
さて、図６に示したには、以下のような問題点があった。
すなわち、図６（ａ）に示すように、端部リング孔１３に尻手ロープ２０を固定した場合、釣り人にとって柄１０を握るのに尻手ロープ２０が邪魔になることはない。しかし、ウエストベルト３０に尻手ロープ２０が絡んだりするというデメリットがある。ウエストベルト３０に柄１０を差し込むという動作があり、その差し込む先端部分にある端部リング孔１３へ尻手ロープ２０を固定しているからである。
【０００７】
一方、図６（ｂ）に示すように、中央リング孔１２に知って尻手ロープ２０を固定した場合、ウエストベルト３０に柄１０を差し込むという動作によっても、ウエストベルト３０に尻手ロープ２０が絡むおそれが少ない。しかし、釣り人が柄１０を握ろうとした時や柄１０を握っての鮎ダモの操作時に、尻手ロープ２０が邪魔になる場合がある、というデメリットがある。
【０００８】
上述した問題点は、仕事やレジャーにおいて手に持って使用するツールに、紛失の防止などのために紐やチェーンをつなぎ、その紐やチェーンをツール使用者の服やベルトなどへ固定している場合には、同様の問題として生じていた。
【０００９】
本発明が解決すべき課題は、柄のあるツールに紐体をつないでツール使用者へ固定している場合に、当該ツールの使い勝手を向上させられる技術を提供することにある。
【課題を解決するための手段】
【００１０】
（第一の発明）
本願における第一の発明は、作業機能部（たとえば網11）に対する作業者の握り手となる柄(10)と、その柄(10)に固定される巻き取り機構(25)とを備え、  その巻き取り機構(25)は、紐体(たとえばナイロンワイヤ26)を引き出しおよび巻き取り可能とした巻き取り機構付き柄に係る。
【００１１】
（用語説明）
「ツール」とは、柄(10)の長手方向寸法がそのツールの全長寸法に比して大きなものであり、たとえば、鮎ダモ、釣り用ペンチ、誘導灯などである。
「紐体」とは、巻き取り機構(25)が引き出しおよび巻き取り可能な紐体であって、ナイロン製ワイヤ、金属製ワイヤなどがある。
【００１２】
（作用）
作業者は、ツールの柄(10)における巻き取り機構(25)から紐体(26)を引き出し、その紐体(26)の端部を作業者のベルト通しなどに固定する。そして、ツールの柄(10)を作業者のベルトなどに挟む。
作業者は、ツールの柄(10)を握り、作業をする。その際には、巻き取り機構(25)から紐体(26)が引き出される。  紐体(26)が作業者の身体に連結されているので、作業者がツールの柄(10)を離してしまっても、ツールを紛失するおそれはない。
作業者がツールを使い終えたら、紐体(26)が巻き取り機構(25)に巻き取られて収納されるので、紐体(20)が作業者の邪魔になることを軽減する。
【００１３】
（第一の発明のバリエーション１）
第一の発明は、  前記の柄(10)を収納する内部空間を備えた鞘体(40)を備えるとともに、  その鞘体(40)には、前記の巻き取り機構(25)から引き出した前記紐体(20)の端部を固定することとしてもよい。
【００１４】
（作用）
ツールの柄(10)は、鞘体(40)における収納空間へ収納される。
作業者は、ツールの柄(10)を握り、鞘体(40)における収納空間から柄(10)を取り出す。そして、作業機能部(11)を用いる。  紐体(20)が鞘体(40)とツールとを連結しているので、作業者がツールの柄(10)を離してしまっても、ツールを紛失するおそれはない。
作業者がツールを使い終えたら、鞘体(40)における収納空間に柄(10)を収納する。紐体(20)も収納されるので、紐体(20)が作業者の邪魔になることを軽減する。
【００１５】
（第二の発明）
第二の発明は、作業機能部としての網部(11)および釣り人の握り手となる柄(10)を備えた鮎ダモに係る。
前記の柄(10)における網部(11)とは反対側の端部には、紐体(20)を引き出しおよび巻き取り可能とした巻き取り機構(25)を内蔵し、  その紐体(20)は、前記の柄(10)の端部付近から引き出し可能に形成する。
【００１６】
（作用）
鮎ダモの柄(10)に内蔵された巻き取り機構(25)は、柄(10)を握って網部(11)を手繰る釣り人に合わせて紐体(20)を引き出し、釣り人が柄(10)を握らない場合にウエストベルトに挟むなどした際には、巻き取り機構(25)が紐体(20)を巻き取る。  したがって、釣り人が柄(10)を握って鮎ダモを手繰る際も、柄(10)を握らない場合にも、釣り人にとって紐体(20)が邪魔になる事態を軽減する。
【００１７】
（第二の発明のバリエーション１）
第二の発明については、  前記の柄(10)を収納する内部空間を備えた鞘体(40)を備えるとともに、  その鞘体(40)には、前記の巻き取り機構(25)から引き出した前記紐体(20)の端部を固定することとしてもよい。
【００１８】
（作用）
鮎ダモの柄(10)は、鞘体(40)における収納空間へ収納される。
釣り人は、ツールの柄(10)を握り、鞘体(40)における収納空間から柄(10)を取り出す。そして、網部(11)を手繰る。  紐体(20)が鞘体(40)と鮎ダモとを連結しているので、釣り人が柄(10)を離してしまっても、鮎ダモを紛失するおそれはない。
釣り人が鮎ダモを使い終えたら、鞘体(40)における収納空間に柄(10)を収納する。紐体(20)も収納されるので、紐体(20)が釣り人の邪魔になることを軽減する。
【００１９】
（第二の発明のバリエーション２）
第二の発明における上記バリエーション１については、前記の鞘体(40)につき、その収納空間と収納空間の外側空間とを連通させるメッシュ構造にて形成してもよい。
【００２０】
（作用）
鞘体(40)にメッシュ構造を採用したので、鞘体(40)が軽くなる。また、釣り人が川に入っての作業をする場合、川の水流が鞘体(40)を貫通するので、水の抵抗を減らすことができる。
【発明の効果】
【００２１】
第一の発明によれば、柄のあるツールに紐体をつないでツール使用者へ固定している場合に、当該ツールの使い勝手を向上させられる巻き取り機構付き柄を提供することができた。
第二の発明によれば、柄のあるツールに紐体をつないでツール使用者へ固定している場合に、当該ツールの使い勝手を向上させられる鮎ダモを提供することができた。
【図面の簡単な説明】
【００２２】
【図１】本発明に係る第一の実施形態を示す全体図である。
【図２】本発明に係る第一の実施形態を示す断面図である。
【図３】本発明に係る第一の実施形態を示す斜視図である。
【図４】本発明に係る第二の実施形態を示す断面図である。
【図５】本発明に係る第二の実施形態を示す斜視図である。
【図６】従来技術を示す図である。
【発明を実施するための形態】
【００２３】
以下、本発明を複数の実施形態および図面に基づいて更に詳しく説明する。ここで使用する図面は、図１から図５である。
図１から図３が第一の実施形態を、図４および図５が第二の実施形態を示す。
【００２４】
（第一の実施形態）
図１は、鮎釣りをする釣り人が右手に釣り竿を、左手に鮎ダモを持っている状態を示している。
釣り人の左手は、鮎ダモの柄１０を順手で握っており、釣り上げた鮎を網１１でキャッチしている。
釣り人のウエストベルト３０における左腰には、鞘体４０が固定されており、その鞘体４０と前記の鮎ダモの柄１０とが、ナイロンワイヤ２６にて連結されている。
鞘体４０は、メッシュ構造を採用しており、軽い。また、釣り人が川に入って腰まで水に浸かっているような場合、河の水流が鞘体４０を貫通するので、水の抵抗を減らすことができる。
【００２５】
図２は、鮎ダモの柄１０が鞘体４０へ収納された状態を示している。  鮎ダモの柄１０は、内部構造を示すために一部が断面図となっている。
鞘体４０の長手方向寸法は、柄１０の長手方向寸法よりもやや小さい。釣り人が鮎ダモを鞘体４０から取り出しやすく、しかも安定して収納状態を保持できるようにするためである。ナイロンワイヤ２６は、巻き取りリール２５に巻き取られている。
鞘体４０の上部には、釣り人のウエストベルト３０に引っかけて鞘体４０を固定するための引っかけ金具４１を備えている。  また、鞘体４０の内部空間における底部には、ナイロンワイヤ２６の端部を連結固定するための連結固定具４２を備えている。
【００２６】
図３には、鮎ダモの柄１０が鞘体４０から取り出された状態を、鮎ダモの柄１０の一部断面とともに示している。
ナイロンワイヤ２６は、巻き取りリール２５の機能により、釣り人による鮎ダモの操作に応じて伸縮する。  鮎ダモを操作しているときにも、鮎ダモの柄１０を鞘体４０の内部空間へ収納させているときにも、ナイロンワイヤ２６が邪魔になることがない。
【００２７】
（第二の実施形態）
図４および図５には、第二の実施形態を示している。
第一の実施形態との相違点は、第一の実施形態において採用していた鞘体４０を使用していない点である。  すなわち、ナイロンワイヤ２６の端部は、釣り人のウエストベルト３０を通すベルト通しへ固定している。
図５に示すように、鮎をキャッチする以外の時には、柄１０の部分をウエストベルト３０に差し込むこととしている。  ナイロンワイヤ２６は巻き取り機構２５を備えているので、釣り人による鮎ダモの操作に応じて長さが変化する。
【００２８】
図示は省略するが、鮎ダモの代わりに釣り用ペンチにおいて、本願発明を実施することも可能である。
本願発明は、鮎ダモや釣り用ペンチのように、柄や握り部の長さ寸法が全長に比して大きいツールに適している。
【産業上の利用可能性】
【００２９】
本発明は、釣り具の製造業、ツールの製造業、アウトドアスポーツのインストラクター事業などにおいて、利用可能性を有する。
【符号の説明】
【００３０】
１０    柄                              １１    網
１２    中央リング孔                    １３    端部リング孔（ツール側連結固定部）
１８    釣り用ペンチ                    １９    握り部
２５    巻き取り機構（巻き取りリール）  ２６    ナイロンワイヤ
３０    ウエストベルト
４０    鞘体                            ４１    引っかけ金具
４２    連結固定具
【図１】
2013208070.tif 000003
【図２】
2013208070.tif 000004
【図３】
2013208070.tif 000005
【図４】
2013208070.tif 000006
【図５】
2013208070.tif 000007
【図６】
2013208070.tif 000008